(57)【要約】【課題】  ロックモードに切換えられた後に遠隔操作による処理の実行を可能とする。【解決手段】  ユーザによる操作の入力を受け付ける操作キーと、受け付けられた操作に対応する処理を実行するための制御部とを備え、制御部は、遠隔操作されることによりロックモードに切換えるモード切換手段（Ｓ０２）と、ロックモードにおいて、操作キーに予め定められた第１処理を実行させるための操作の入力が受け付けられた場合、該第１処理の実行を禁止する禁止手段と、ロックモードにおいて、予め定められた電話番号からの着呼に応じて、該着呼に応答する自動応答手段（Ｓ０５）と、応答した電話機から予め定められた第２処理を実行させるための指示を受信することに応じて、該第２処理を実行する第２処理実行手段（Ｓ０６）とを含む、携帯電話機。【選択図】図３
2010110005.tif 000002
【特許請求の範囲】
【請求項１】
ユーザによる操作の入力を受け付ける操作受付手段と、
前記受け付けられた操作に対応する処理を実行するための制御手段とを備え、
前記制御手段は、遠隔操作されることによりロックモードに切換えるモード切換手段と、
ロックモードにおいて、前記操作受付手段により予め定められた第１処理を実行させるための操作の入力が受け付けられた場合、該第１処理の実行を禁止する禁止手段と、
ロックモードにおいて、予め定められた電話番号が割当てられた電話機からの着呼に応じて、該着呼に応答する自動応答手段と、
前記応答した電話機から予め定められた第２処理を実行させるための指示を受信することに応じて、該第２処理を実行する第２処理実行手段と、
前記制御手段は、ロックモードにおいて、前記自動応答手段による応答により通話可能な状態となっているとき、前記操作受付手段により通話可能な状態を終了させるための操作の入力が受け付けられても通話可能な状態を維持する制限手段とを含む、携帯通信端末。
【請求項２】
着呼に応じて着信を報知する着信報知手段をさらに備え、
前記制御手段は、ロックモードにおいて、前記予め定められた電話番号が割当てられた電話機からの着呼が検出された場合、前記着信報知手段による報知を禁止する禁止手段をさらに含む、請求項１に記載の携帯通信端末。
【請求項３】
前記制御手段は、ロックモードにおいて、前記自動応答手段が少なくとも１回応答して該応答に基づく通話が終了するまで、前記操作受付手段により電源をオフにするための操作の入力が受け付けられても電源をオフにしない電源オフ制限手段をさらに含む、請求項１に記載の携帯通信端末。
【請求項４】
発信先の情報を記憶する発信先情報記憶手段をさらに備え、
前記第２処理は、前記発信先情報記憶手段に記憶されている発信先の情報を消去する処理を含む、請求項１に記載の携帯通信端末。
【請求項５】
現在位置を取得する位置取得手段をさらに備え、
前記制御手段は、前記取得された現在位置を予め定められた送信先に送信する送信手段をさらに含み、
前記第２処理は、前記位置取得手段により現在位置を取得させ、前記送信手段に前記取得された現在位置を送信させる処理を含む、請求項１に記載の携帯通信端末。
【請求項６】
音を出力するスピーカをさらに備え、
前記第２処理は、前記スピーカから音を出力させる処理を含む、請求項１に記載の携帯通信端末。
【請求項７】
前記第２処理は、通信端末を破壊する処理、通信端末の使用を不可能にする処理の少なくとも１つの処理を含む、請求項１に記載の携帯通信端末。
【請求項８】
前記ロック手段は、予め定められた期間内に予め定められた電話番号の電話機から予め定められた回数の着呼を検出すると、前記ロックモードに切換える、請求項１に記載の携帯通信端末。
【発明の詳細な説明】
【技術分野】
【０００１】
この発明は携帯通信端末に関し、特に遠隔操作が可能な携帯通信端末に関する。
【背景技術】
【０００２】
近年、普及している携帯電話機は、発信先の電話番号および氏名等を含む電話帳データ、送受信した電子メールデータ、カメラで撮像した画像データ等を記憶することが可能である。
【０００３】
これらのデータを保護するために、携帯電話機は、パスワードによる認証を条件に、データへのアクセスを許可するロック機能を有する。
【０００４】
このため、所有者が携帯電話機を紛失等して携帯電話機が第三者の手に渡った場合であっても、パスワードを知らない第三者はデータを閲覧することができない。
しかしながら、携帯電話機にロック機能が設定されていない状態で、第三者の手に携帯電話機が渡った場合、第三者がデータを閲覧することができてしまう。
このため、他の電話機から携帯電話機に発呼して、携帯電話機がその発呼に応答しなくてもロック機能を有効に設定する技術が知られている（例えば、特許文献１）。
【０００５】
また、特開２００３−７００６３号公報（特許文献２）には、携帯電話機が記憶するデータを保護するために、センター装置から携帯電話にデータ消去コマンドを送信して、携帯電話機にデータを消去させる技術が知られている。
【０００６】
しかしながら、電話網側のセンター装置からデータ消去コマンドを送信しなければならず、携帯電話機に記憶されたデータを容易に消去することができない。
【先行技術文献】
【特許文献】
【０００７】
【特許文献１】特開２０００−７８６６３号公報
【特許文献２】特開２００３−７００６３号公報
【発明の概要】
【発明が解決しようとする課題】
【０００８】
この発明は上述した問題点を解決するためになされたもので、この発明の目的の一つは、ロックモードに切換えられた後に遠隔操作による処理の実行を可能とした携帯通信端末を提供することである。
【課題を解決するための手段】
【０００９】
上述した目的を達成するために、この発明のある局面によれば、携帯通信端末は、ユーザによる操作の入力を受け付ける操作受付手段と、受け付けられた操作に対応する処理を実行するための制御手段とを備え、制御手段は、遠隔操作されることによりロックモードに切換えるモード切換手段と、ロックモードにおいて、操作受付手段により予め定められた第１処理を実行させるための操作の入力が受け付けられた場合、該第１処理の実行を禁止する禁止手段と、ロックモードにおいて、予め定められた電話番号が割当てられた電話機からの着呼に応じて、該着呼に応答する自動応答手段と、応答した電話機から予め定められた第２処理を実行させるための指示を受信することに応じて、該第２処理を実行する第２処理実行手段とを含む。
【００１０】
この局面に従えば、遠隔操作されることによりロックモードに切換えられ、ロックモードにおいて、予め定められた第１処理を実行させるための操作の入力が受け付けられた場合、該第１処理の実行を禁止し、予め定められた電話番号からの着呼に応じて、該着呼に応答し、応答した電話機から予め定められた第２処理を実行させるための指示を受信することに応じて、該第２処理を実行する。
【００１１】
このため、遠隔操作によりロックモードに切換えられると、予め定められた第１処理を実行させるための操作の入力が受け付けられても第１処理を実行しないが、予め定められた電話番号の電話機からの指示があると第２処理を実行する。
【００１２】
このため、ロックモードに切換えられた後に遠隔操作による処理の実行を可能とした携帯通信端末を提供することができる。
【００１３】
好ましくは、着呼に応じて着信を報知する着信報知手段をさらに備え、制御手段は、ロックモードにおいて、予め定められた電話番号が割当てられた電話機からの着呼が検出された場合、着信報知手段による報知を禁止する禁止手段をさらに含む。
【００１４】
この局面に従えば、ロックモードにおいて、予め定められた電話番号からの着呼に応じて着信を報知するのを禁止するので、携帯通信端末を所持する者に気付かれることなく携帯通信端末を遠隔操作することができる。
【００１５】
好ましくは、制御手段は、ロックモードにおいて、自動応答手段による応答により通話可能な状態となっているとき、操作受付手段により通話可能な状態を終了させるための操作または電源をオフにするための操作の入力が受け付けられても通話可能な状態を維持する制限手段をさらに含む。
【００１６】
この局面に従えば、ロックモードにおいて、通話可能な状態となっているとき、通話可能な状態を終了させるための操作または電源をオフにするための操作の入力が受け付けられても通話可能な状態を維持する。
【００１７】
このため、携帯通信端末を所持する者が通話を終了させることができないので、遠隔操作を確実に実行することができる。
【００１８】
好ましくは、制御手段は、ロックモードにおいて、自動応答手段が少なくとも１回応答して該応答に基づく通話が終了するまで、操作受付手段により電源をオフにするための操作の入力が受け付けられても電源をオフにしない電源オフ制限手段をさらに含む。
【００１９】
この局面に従えば、ロックモードにおいて、少なくとも１回応答して該応答に基づく通話が終了するまで、電源をオフにするための操作の入力を受け付けても電源をオフにしない。
【００２０】
このため、ロックモードに切換えられた後、少なくとも１回の遠隔操作が可能となる。
【００２１】
好ましくは、発信先の情報を記憶する発信先情報記憶手段をさらに備え、第２処理は、発信先情報記憶手段に記憶されている発信先の情報を消去する処理を含む。
【００２２】
この局面に従えば、遠隔操作により発信先の情報を消去することができるので、発信先の情報を保護することができる。
【図面の簡単な説明】
【００２３】
【図１】本発明の実施の形態の一つにおける携帯電話機の外観を示す斜視図である。
【図２】本実施の形態における携帯電話機の機能の一例を示す機能ブロック図である。
【図３】ロックモード処理の流れの一例を示すフローチャートである。
【図４】遠隔操作処理の流れの一例を示すフローチャートである。
【図５】通話終了操作受付処理の流れの一例を示すフローチャートである。
【図６】電源オフ操作受付処理の流れの一例を示すフローチャートである。
【発明を実施するための形態】
【００２４】
以下、本発明の実施の形態について図面を参照して説明する。以下の説明では同一の部品には同一の符号を付してある。それらの名称および機能も同じである。したがってそれらについての詳細な説明は繰返さない。
【００２５】
図１は、本発明の実施の形態の一つにおける携帯電話機の外観を示す斜視図である。
図１（Ａ）は、オープンスタイルの携帯電話機の外観を示し、図１（Ｂ）はクローズスタイルの携帯電話機の外観を示す。
【００２６】
図１（Ａ）および図１（Ｂ）を参照して、携帯電話機１は、操作側部３と、表示側部２とを含む。操作側部３は、電源キー１４Ａ、テンキーおよび通話キー等を含む操作キー１４と、マイク１３とが内側面に配置され、マイク端子１６およびイヤホン端子１７が右側面に配置される。表示側部２は、液晶表示装置（ＬＣＤ）１５と、レシーバを構成する第１スピーカ１１と、カメラ２４とが内側面に配置され、カメラ２４Ａと、小型ＬＣＤ１５Ａと、第２スピーカ１２とが外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００２７】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２８】
図２は、本実施の形態における携帯電話機の機能の一例を示す機能ブロック図である。
図２を参照して、携帯電話機１は、携帯電話機１の全体を制御するための制御部２１と、アンテナ２２Ａと接続された無線回路２２と、音声データを処理するためのコーデック部２８と、コーデック部２８の入出力を切換えるための切換部２９と、それぞれが切換部２９に接続されたマイク１３、第１スピーカ１１、第２スピーカ１２、マイク端子１６およびイヤホン端子１７と、カメラ２４と、携帯電話機１の位置を計測するためのグローバル・ポジショニング・システム（ＧＰＳ）２３と、ユーザの操作の入力を受付ける操作キー１４と、姿勢検出スイッチ１９と、振動部２６と、ＬＣＤ１６の表示を制御するための表示制御部３０と、制御部２１で実行するためのプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、アドレス帳データ、電子メール等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３とを含む。
【００２９】
姿勢検出スイッチ１９は、操作側部３と表示側部２との相対的な位置を検出し、制御部に出力する。制御部２１は、姿勢検出スイッチ１９の出力に基づき、携帯電話機１の姿勢が、クローズスタイルおよびオープンスタイルのいずれにあるかを検出する。
【００３０】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして切換部２９に出力する。
【００３１】
また、コーデック部２８は、切換部２９を介してマイク１３またはマイク端子１６からアナログの音声信号が入力され、音声信号をデジタルに変換し、符号化し、そして符号化した音声信号を無線回路２２に出力する。
【００３２】
切換部２９は、制御部２１により制御され、コーデック部２８への音声信号の入出力を切換える。切換部２９は、コーデック部２８から受け付けた音声信号を、イヤホン端子１７、第１スピーカ１１および第２スピーカ１２のいずれかに出力する。
【００３３】
イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。
【００３４】
ユーザが操作キー１４を操作することにより、携帯電話機１がハンズフリーモードに設定される。また、携帯電話機１がオープンスタイルで通話状態のときハンズフリーモードに設定されていなくても、携帯電話機１の姿勢がクローズスタイルに変化すると、制御部２１は、ハンズフリーモードに設定する。
【００３５】
このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００３６】
切換部２９は、マイク１３またはマイク端子１６のいずれかが出力する音声信号をコーデック部２８に出力する。切換部２９は、マイク端子１６にマイクが接続されている場合は、マイク端子１６から受け付けた音声信号をコーデック部２８に出力し、マイク端子１６にマイクが接続されていない場合は、マイク１３から受け付けた音声信号をコーデック部２８に出力する。
【００３７】
表示制御部３０は、制御部２１により制御され、制御部２１から入力される指示に従ってＬＣＤ１５を制御して、ＬＣＤ１５に画像を表示させる。ＬＣＤ１５に表示させる画像は、動画像と静止画像とを含む。
【００３８】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。  また、携帯電話機１をインターネットに無線回路２２を介して接続し、インターネットに接続されたコンピュータからプログラムをダウンロードして、制御部２１が実行するようにしてもよい。
ここでいうプログラムは、制御部２１が直接実行可能なプログラムだけでなく、ソースプログラム、圧縮処理されたプログラム、暗号化されたプログラム等を含む。
【００３９】
カメラ２４は、レンズおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。
【００４０】
カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３４またはカードＩ／Ｆ２７に装着されたフラッシュメモリ２７Ａに記憶する。カメラ２４は、携帯電話機１がテレビ電話として機能する際に、携帯電話機１のユーザを撮像する。
【００４１】
ＥＥＰＲＯＭ３３は、少なくともパスワードと、ロックモード設定用の電話番号とを記憶する。パスワードおよびロックモード設定用の電話番号は、ユーザが操作部１４を操作して、予め入力することにより、ＥＥＰＲＯＭ３３に記憶される。ロックモード設定用の電話番号は、少なくとも１つ記憶され、複数あってもよい。また、ＥＥＰＲＯＭ３３は、電話帳データと、電子メールデータと、カメラ２４で撮像した画像を記憶するようにしてもよい。
【００４２】
制御部２１は、モード切換部５１を含む。モード切換部５１は、携帯電話機１を通常モードとロックモードのいずれかに切換える。モード切換部５１は、ロックモード指示が入力されると、携帯電話機１を通常モードからロックモードに切換え、携帯電話機１をロックモードに設定する。制御部２１は、ユーザが操作キー１４のうち予め定められたキーを押下すると、ロックモード指示の入力を受け付ける。
【００４３】
また、制御部２１は、無線回路２２において、ロックモード設定用の電話番号が割当てられた電話機から所定回数の呼びの着呼が所定時間内に所定回数検出されると、ロックモード指示の入力を受け付ける。呼びの回数、所定回数の呼びの着呼を検出する時間、所定回数の呼びの着呼の回数は、ユーザが予め設定可能であり、ＥＥＰＲＯＭ３３に記憶される。
【００４４】
携帯電話機１がロックモードに設定されている間、制御部２１は、操作キー１４のうち着呼に応答するための応答キーが押下される場合を除いて、操作キー１４から操作指示の入力を受け付けても、その操作指示に対応する処理を実行しない。
【００４５】
例えば、操作キー１４から電話帳データまたは電子メールデータを閲覧するための処理に対応する操作指示が入力されてもＥＥＰＲＯＭ３３から電話帳データまたは電子メールデータを読み出すことなく、パスワードの入力を要求する画面をＬＣＤ１５に表示する。
【００４６】
また、発呼のための電話番号が入力されても電話番号の入力を受け付けることなく、パスワードの入力を要求する画面をＬＣＤ１５に表示する。
【００４７】
制御部２１は、ロックモードに切換えて携帯電話機１がロックモードに設定されているときは、解除操作を受け付けると、ロックモードを解除して通常モードに切換える。
解除操作は、ユーザが、ＥＥＰＲＯＭ３３に予め記憶されているパスワードを操作キー１４に入力する操作である。
【００４８】
制御部２１は、ＬＣＤ１５にパスワードの入力を要求する画面が表示されている状態でパスワードが入力されると、解除操作を受け付け、ロックモードを解除して通常モードに切換える。
【００４９】
なお、ここでは、パスワードを認証してロックモードを解除する例を説明するが、パスワードに代えて、生体情報を用いて認証するようにしても良い。
生体情報は、指紋、声紋、虹彩、静脈パターン等を用いることができる。
【００５０】
図３は、ロックモード処理の流れの一例を示すフローチャートである。ロックモード処理は、制御部２１がロックモード処理プログラムを実行することにより、制御部２１によって実行される処理である。図３を参照して、制御部２１は、ロックモード指示を受け付けたか否かを判断する（ステップＳ０１）。
【００５１】
ロックモード指示を受け付けるまで待機状態となり（ステップＳ０１でＮＯ）、ロックモード指示を受け付けると処理をステップＳ０２に進める。すなわち、ロックモード処理は、ロックモード指示を受け付けることを条件に実行される処理である。
【００５２】
ステップＳ０２において、携帯電話機１のモードを通常モードからロックモードに切換え、携帯電話機１をロックモードに設定する（ステップＳ０２）。
【００５３】
ステップＳ０３では、着呼を検出したか否かを判断する（ステップＳ０３）。着呼を検出したならば処理をステップＳ０４に進め、検出しなければ処理をステップＳ０８に進める。ステップＳ０４において、ロックモード設定用の電話番号が割当てられた電話機からの着呼か否かを判断する。
【００５４】
具体的には、検出された着呼とともに受信する電話番号が、ロックモード設定用の電話番号としてＥＥＰＲＯＭ２２に記憶されているか否かを判断する。ロックモード設定用の電話番号が割当てられた電話機からの着呼であれば処理をステップＳ０５に進め、そうでなければ処理をステップＳ１０に進める。
【００５５】
ステップＳ１０では、着呼があったことをユーザに知らせるために着信報知する。着信報知は、着信音を第２スピーカ１２から出力する。また、振動部２６を振動させるようにしてもよい。着信音を出力するとともに、振動部２６を振動させるようにしてもよい。
ステップＳ１１では、応答指示が受け付けられたか否かを判断する。
【００５６】
ユーザが操作キー１４の通話ボタンを押下する操作を検出したならば処理をステップＳ１２に進め、検出しなければ処理をステップＳ１４に進める。ステップＳ１２では、着呼に応答して回線を接続する。これにより携帯電話機１が通話可能な状態になる。着呼に応答する際には、ステップＳ１０で開始した着信報知を終了する。
【００５７】
このように、ロックモード設定用の電話番号が割当てられた電話機からの着呼でなければ、着信報知し、ユーザが通話ボタンを押下することにより、回線が接続されて携帯電話機１が通話可能な状態となる。そして、ステップＳ１３において、通話を終了させる指示が受け付けられたか否かを判断する。
【００５８】
ユーザが操作キー１４の通話終了ボタンを押下する操作を検出したならば処理をステップＳ０３に戻し、検出しなければ待機状態となって通話を継続する。一方、ステップＳ１４では、着呼が終了したか否かを判断し、着呼が終了したならば処理をステップＳ０３に戻し、着呼が終了していなければ処理をステップＳ１０に戻す。
【００５９】
ステップＳ０５では、着呼に自動的に応答する。これにより、ロックモード設定用の電話番号が割当てられた電話機との間で回線が接続され、通話可能な状態となる。なお、ステップＳ０５に処理を進める場合には、着信報知しない。このため、携帯電話機１を所持しているユーザは、着呼に気付くことがない。
【００６０】
ステップＳ０６においては、遠隔操作処理を実行する。遠隔操作処理については後述する。遠隔操作処理が終了すると回線を切断し（ステップＳ０７）、処理をステップＳ０８に進める。ステップＳ０８では、ロックモードの解除操作を受け付けたか否かを判断する。解除操作を受け付けたならば処理をステップＳ０９に進め、そうでなければ処理をステップＳ０３に戻す。ステップＳ０９においては、携帯電話機１のモードをロックモードから通常モードに切換え、携帯電話機１を通常モードに設定する。
【００６１】
図４は、遠隔操作処理の流れの一例を示すフローチャートである。遠隔操作処理は、図３に示したステップＳ０６において、制御部２１により実行される処理である。制御部２１は、消去指示を受信したか否かを判断する（ステップＳ２１）。
【００６２】
消去指示を受信したならば処理をステップＳ２２に進め、消去指示を受信しなければ処理をステップＳ２３に進める。消去指示は、ＥＥＰＲＯＭ３３に記憶されているデータ、ここでは電話帳データを消去する処理を制御部２１に実行させるためのコマンドである。
【００６３】
なお、ここでは、電話帳データを消去する場合を例に説明するが、電子メールデータまたはカメラで撮像した画像データを消去するようにしてもよい。消去指示は、例えばトーン信号として受信される。
【００６４】
トーン信号に予め消去指示を対応付けておき、消去指示に対応するトーン信号が受信されると、消去指示にしたがって、電話帳データをＥＥＰＲＯＭ３３から消去する。
これにより、携帯電話機１がロックモードを解除されても、電話帳データが消去されているので、電話帳データが閲覧されることがない。
【００６５】
制御部２１は、ロックモード設定用の電話番号が割当てられた電話機のユーザが消去指示を入力するのを容易にするために、消去指示を入力するための音声ガイダンスを無線回路２２から出力する。これにより、ロックモード設定用の電話番号が割当てられた電話機のユーザは、音声ガイダンスに従って、電話機のダイヤルボタンを押下する簡単な操作をするだけで、消去指示が携帯電話機１に送信される。
【００６６】
ステップＳ２３においては、音発生指示を受信したか否かを判断する。音発生指示を受信したならば処理をステップＳ２４に進め、音発生指示を受信しなければ処理をステップＳ２５に進める。
【００６７】
音発生指示は、制御部２１に第２スピーカ１２から予め定められた音を出力させる処理を実行させるためのコマンドである。予め定められた音は、例えば着信音である。
ステップＳ２４において、第２スピーカ１２に音を発生させる。
制御部２１は、携帯電話機１が、着呼に応じて出力する着信音を出力しないサイレントモードに設定されていても、第２スピーカに音を出力させる。
【００６８】
これにより、ユーザは、携帯電話機１の場所がわからなくなった場合、携帯電話機１に音を発生させることにより、携帯電話機１の近くにいれば携帯電話機１を見つけ出すことができる。
【００６９】
音出力指示は、消去指示と同様にトーン信号として受信され、音声ガイダンスを出力することによりユーザによる音出力指示の入力が容易にされる。
【００７０】
ステップＳ２５においては、位置情報送信指示を受信したか否かを判断する。位置情報送信指示を受信したならば処理をステップＳ２６に進め、位置情報送信指示を受信しなければ処理をステップＳ２８に進める。位置情報送信指示は、制御部２１に携帯電話機１の現在位置を送信させる処理を実行させるためのコマンドである。
【００７１】
制御部２１は、ＧＰＳ２３に位置情報を測定させ（ステップＳ２６）、測定された位置情報をＥＥＰＲＯＭ３３に予め記憶された送信先に送信する（ステップＳ２７）。送信先は、電話網事業者のコンピュータであってもよく、電子メールアドレスであっても良い。
【００７２】
これにより、ユーザは、携帯電話機１の場所がわからなくなった場合、携帯電話機１に位置情報を送信させることにより、携帯電話機１の場所を知ることができる。
【００７３】
位置情報送信指示は、消去指示と同様にトーン信号として受信され、音声ガイダンスを出力することによりユーザによる音出力指示の入力が容易にされる。
【００７４】
ステップＳ２８においては、使用不可設定指示を受信したか否かを判断する。使用不可設定指示を受信したならば処理をステップＳ２９に進め、使用不可設定指示を受信しなければ処理をステップＳ３０に進める。使用不可設定指示は、制御部２１に携帯電話機１を使用不可能な状態に設定する処理を実行させるためのコマンドである。
【００７５】
制御部２１は、使用不可設定指示を受信すると、携帯電話機１を使用不可能な状態に設定する（ステップＳ３０）。例えば、ＥＥＰＲＯＭ３３にフラグを記憶するようにして、そのフラグが記憶されている場合には、制御部２１が電源をオンにしないようにすれば良い。
電源をオンにする操作が入力された場合に、制御部２１がＥＥＰＲＯＭ３３にフラグが記憶されているか否かを判断して、フラグが記憶されていれば電源をオンにしないようにする。
【００７６】
このフラグは、制御部２１により一度書き換えられると、携帯電話機１に接続された外部の機器からのみ書き換えることができるようにすればよい。携帯電話機１が使用不可能な状態に設定されるので、ＥＥＰＲＯＭ３３に記憶されたデータが他人に閲覧されることがない。
【００７７】
また、他の電話機に勝手に発信する操作を受け付けることがないので、通信料が課金されることがない。
【００７８】
ステップＳ３０においては、破壊指示を受信したか否かを判断する。破壊指示を受信したならば処理をステップＳ３１に進め、破壊指示を受信しなければ処理を終了する。破壊指示は、制御部２１に携帯電話機１を破壊する処理を実行させるためのコマンドである。制御部２１は、破壊指示を受信すると、携帯電話機１を破壊する（ステップＳ３１）。
【００７９】
例えば、制御部２１は、携帯電話機１の回路の一部をショートさせて携帯電話機１を破壊する。携帯電話機１が破壊されるので、ＥＥＰＲＯＭ３３に記憶されたデータが他人に閲覧されることがない。また、他の電話機に勝手に発信する操作を受け付けることがないので、通信料が課金されることがない。
【００８０】
図５は、通話終了操作受付処理の流れの一例を示すフローチャートである。通話終了操作受付処理は、携帯電話機１が他の電話機との間で回線を接続した通話可能な状態にあるときに制御部２１により実行される処理である。
【００８１】
制御部２１は、通話終了操作を受け付けたか否かを判断する（ステップＳ４１）。通話終了操作を受け付けるまで待機状態となり（ステップＳ４１でＮＯ）、通話終了操作を受け付けたならば処理をステップＳ４２に進める。
【００８２】
制御部２１は、ユーザが操作キー１４のうち通話を終了させるための操作に対応して予め定められたキーを押下すると、通話終了操作を受け付ける。
【００８３】
ステップＳ４２において、携帯電話機１がロックモードに設定されているか否かを判断する。ロックモードに設定されていれば処理をステップＳ４３に進め、ロックモードでなく通常モードに設定されていれば処理をステップＳ４４に進める。
【００８４】
ステップＳ４３においては、通話相手の電話機が回線を切断するまで待機状態となり（ステップＳ４３でＮＯ）、通話相手の電話機が回線を切断したならば処理を終了する。一方、ステップＳ４４では、回線を切断して、処理を終了する。
【００８５】
このように、携帯電話機１がロックモードに設定されていると、ユーザが通話終了操作をしても回線を切断しない。このため、ロックモードに設定されている場合に、ロックモード設定用の電話番号が割当てられた電話機との間で回線が接続されると、携帯電話機１は回線を切断しない。このため、ロックモード設定用の電話番号が割当てられた電話機が回線を切断しない限り回線が接続された状態が継続するので、ユーザは遠隔操作により携帯電話機１に遠隔操作処理を確実に実行させることができる。
【００８６】
図６は、電源オフ操作受付処理の流れの一例を示すフローチャートである。電源オフ操作受付処理は、携帯電話機１が電源オンの状態にあるときに制御部２１により実行される処理である。制御部２１は、電源オフ操作を受け付けたか否かを判断する（ステップＳ５１）。
【００８７】
電源オフ操作を受け付けるまで待機状態となり（ステップＳ５１でＮＯ）、電源オフ操作を受け付けたならば処理をステップＳ５２に進める。制御部２１は、ユーザが操作キー１４の電源キーＡを押下すると、電源オフ操作を受け付ける。
【００８８】
ステップＳ５２において、携帯電話機１がロックモードに設定されているか否かを判断する。ロックモードに設定されていれば処理をステップＳ５３に進め、ロックモードでなく通常モードに設定されていれば処理をステップＳ５４に進める。ステップＳ５３においては、遠隔操作処理の実行が完了したか否かを判断する。遠隔操作処理の実行が完了するまで待機状態となり（ステップＳ５３でＮＯ）、遠隔操作処理の実行が完了すると処理をステップＳ５４に進める。
【００８９】
制御部２１は、図３のステップＳ０６に示す遠隔操作処理が終了した時点で、その遠隔操作処理が実行されたことを示す履歴情報をＥＥＰＲＯＭ３３に記憶し、図３のステップＳ０９において通常モードに切り換える際にＥＥＰＲＯＭ３３に記憶された履歴情報を消去する。
【００９０】
ステップＳ５３においては、ＥＥＰＲＯＭ３３から履歴情報を読み出して、遠隔操作処理が実行されたか否かを判断する。
【００９１】
履歴情報が記憶されていなければ待機状態となり、履歴情報がＥＥＰＲＯＭ３３に記憶されると処理をステップＳ５４に進める。ステップＳ５４においては、電源をオフにして処理を終了する。
【００９２】
このように、携帯電話機１がロックモードに設定されている状態で、電源オフ操作が受け付けられても、遠隔操作処理が実行されてその処理が終了していなければ、電源をオフにすることなく電源がオンの状態が継続される。このため、携帯電話機１がロックモードに設定された後に、携帯電話機１に少なくとも一度は遠隔操作処理を実行させることができる。
【００９３】
なお、遠隔操作処理が実行された回数を履歴情報としてＥＥＰＲＯＭ３３に記憶するようにし、所定回数の遠隔操作処理が実行されるまで、電源オフ操作が受け付けられても電源をオフにしないようにしても良い。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９５】
＜付記＞（１）  現在位置を取得する位置取得手段をさらに備え、前記制御手段は、前記取得された現在位置を予め定められた送信先に送信する送信手段をさらに含み、前記第２処理は、前記位置取得手段により現在位置を取得させ、前記送信手段に前記取得された現在位置を送信させる処理を含む、請求項１に記載の携帯通信端末。
【００９６】
（２）  音を出力するスピーカをさらに備え、前記第２処理は、前記スピーカから音を出力させる処理を含む、請求項１に記載の携帯通信端末。
【００９７】
（３）前記第２処理は、通信端末を破壊する処理、通信端末の使用を不可能にする処理の少なくとも１つの処理を含む、請求項１に記載の携帯通信端末。
【００９８】
（４）  前記ロック手段は、予め定められた期間内に予め定められた電話番号の電話機から予め定められた回数の着呼を検出すると、前記ロックモードに切換える、請求項１に記載の携帯通信端末。
【符号の説明】
【００９９】
１  携帯電話機、  ２  表示側部、３  操作側部、１１  第１スピーカ、１２  第２スピーカ、１３  マイク、１４  操作キー、１４Ａ  電源キー、１６  マイク端子、１７  イヤホン端子、１９  姿勢検出スイッチ、２１  制御部、２２  無線回路、２２Ａ  アンテナ、２３  ＧＰＳ、２４  カメラ、２６  振動部、２７  カードＩ／Ｆ、２７Ａ  フラッシュメモリ、２８  コーデック部、２９  切換部、３０  表示制御部、３１  ＲＯＭ、３２  ＲＡＭ、５１  モード切換部。
【図１】
2010110005.tif 000003
【図２】
2010110005.tif 000004
【図３】
2010110005.tif 000005
【図４】
2010110005.tif 000006
【図５】
2010110005.tif 000007
【図６】
2010110005.tif 000008